(57)【要約】【課題】  簡易迅速に太陽光パネルを設置することができ、その際に太陽光パネルの取付け角の調節を容易なものとすること。【解決手段】  太陽光パネル２に着脱自在に固定されるパネル受け３０と、パネル受け３０を角度調節可能に保持する角度調節機構６０と、上部に角度調節機構６０が連結され、下部が地面５０に打ち込まれる支柱４０と、を備える。角度調節機構６０は、支柱４０に固設されるブラケット７１と、一端が太陽光パネル２に回動可能に軸支され他端がブラケット７１に回動可能かつスライド可能に軸支されるリンク部材８０ａ，８０ｂとを備える。【選択図】図１
2014043763.tif 000002
【特許請求の範囲】
【請求項１】
太陽光パネルが着脱自在に固定されるパネル受けと、
該パネル受けを角度調節可能に保持する角度調節機構と、
上部が該角度調節機構に連結され、下部が地面に打ち込まれる支柱と、
を備える太陽光パネル架台。
【請求項２】
前記パネル受けが、前記太陽光パネルの裏面において横方向に延設され互いに離間する二本の管状部材である第一パネル受けおよび第二パネル受けからなり、
前記角度調節機構が、前記支柱の上部において上下にスライド可能に設けられかつ前記第一パネル受けを軸回りに回動可能に軸支するブラケットと、該ブラケットの下方において前記支柱に対して上下にスライド可能に設けられるスライダーと、一端が該スライダーにおいて上下に回動可能に軸支され他端が前記第二パネル受けを軸回りに回動可能に軸支するリンク部材と、を備える請求項１の太陽光パネル架台。
【請求項３】
前記第一パネル受けおよび前記第二パネル受けと交差してこれらを連結するステーを備える請求項２の太陽光パネル架台。
【請求項４】
前記第一パネル受けおよび前記第二パネル受けが複数個の太陽光パネルを横設可能な長尺部材であり、
前記第一パネル受けおよび前記第二パネル受けに対して互いに離間する二以上の前記支柱が設けられ、前記支柱の各々に対応して前記ブラケット、前記スライダーおよび前記リンク部材が設けられた請求項１ないし３のいずれかの太陽光パネル架台。
【請求項５】
支柱を地面に打ち込む第一ステップと、
該支柱の上部において上下にスライド可能なブラケットを設け、
横方向に延設する管状部材であって該ブラケットにおいて軸回りに回動可能な第一パネル受けを設け、
前記ブラケットの下方において前記支柱に対して上下にスライド可能なスライダーを設け、
該スライダーに対して上下に回動可能に軸支されるリンク部材を設け、
前記第一パネル受けと離間してこれと平行な管状部材であって該リンク部材に対して軸回りに回動可能な第二パネル受けを設ける第二ステップと、
前記第一パネル受けおよび前記第二パネル受けに太陽光パネルを設置する第三ステップとを備える太陽光パネルの設置方法。
【請求項６】
前記第二ステップまたは前記第三ステップにおいて、前記第一パネル受けおよび前記第二パネル受けに交差して連結するステーを設ける請求項５の太陽光パネルの設置方法。
【請求項７】
前記第一パネル受けおよび前記第二パネル受けが複数個の太陽光パネルに対して横設可能な長尺部材であり、
前記第一パネル受けおよび前記第二パネル受けに対して互いに離間する二以上の前記支柱を設け、前記支柱に対応して前記ブラケット、前記スライダーおよび前記リンク部材を設ける請求項５または６の太陽光パネルの設置方法。
【請求項８】
前記角度調節機構が、前記支柱に固設されるブラケットと、一端が前記パネル受けに回動可能に軸支され他端が前記ブラケットに回動可能かつスライド可能に軸支されるリンク部材と、を備える請求項１の太陽光パネル架台。
【請求項９】
前記角度調節機構が、上部が前記太陽光パネルないし前記パネル受けに固設され、その下方において前記支柱に対して回動可能に軸支され、前記支柱に設けられた締結穴に対応する複数個の調節固定穴が設けられたブラケットを備える請求項１の太陽光パネル架台。
【請求項１０】
前記角度調節機構が、前記支柱の上端部において前記太陽光パネルを回動可能に軸支する回動軸と、前記太陽光パネルに対してスライド可能である前記パネル受けと、一端が該パネル受けに対して回動可能に軸支され他端が前記支柱に対して回動可能かつ上下にスライド可能に軸支されるリンク部材と、を備える請求項１の太陽光パネル架台。
【発明の詳細な説明】
【技術分野】
【０００１】
本発明は太陽光パネルを設置するための太陽光パネル架台に関する。
【背景技術】
【０００２】
従来、太陽光パネルの設置は、コンクリートを打設して基礎を作成し、その上に架台を設けて太陽光パネルを設置する等の方法がとられていた。また、特許文献に公開されているものとしても、特開第２０００−１０１１２３号公報、特開２０１０−９８２４１号公報および特開２０１０−２７９７９号公報のように、太陽光パネルの設置には、コンクリートによる基礎やコンクリート製の基礎ブロックを用いるものであった。
【先行技術文献】
【特許文献】
【０００３】
【特許文献１】特開２０００−１０１１２３号公報
【特許文献２】特開２０１０−９８２４１号公報
【特許文献３】特開２０１０−２７９７９号公報
【発明の概要】
【発明が解決しようとする課題】
【０００４】
しかしながら、太陽光パネルの設置現場においてコンクリートを打設することは、養生期間の確保等による施工期間の長期化を招き、また、あらかじめ用意した基礎ブロックを用いる場合でもその重量により作業時間は長く、また重労働なものであった。
【０００５】
そこで本発明は、コンクリート基礎を現場施工によっても基礎ブロックによっても用いることなく、簡易迅速に太陽光パネルを設置することができ、その際に太陽光パネルの取付け角の調節を容易なものとすることを課題とする。
【課題を解決するための手段】
【０００６】
上記課題に鑑み本発明は、太陽光パネル（２，２０２，３０２，４０２）が着脱自在に固定されるパネル受け（３０，２３１，２３２，３３１，３３２，４３１，４３２）と、該パネル受け（３０，２３１，２３２，３３１，３３２，４３１，４３２）を角度調節可能に保持する角度調節機構（６０，２６０，３６０，４６０）と、上部が該角度調節機構（６０，２６０，３６０，４６０）に連結され、下部が地面に打ち込まれる支柱（４０，２４０，３４０，４４０）と、を備える太陽光パネル架台（１，２０１，３０１，４０１）である。
【０００７】
また、本発明は、前記パネル受け（４３１，４３２）が、前記太陽光パネルの裏面において横方向に延設され互いに離間する二本の管状部材である第一パネル受け（４３１）および第二パネル受け（４３２）からなり、前記角度調節機構（４６０）が、前記支柱（４４０）の上部において上下にスライド可能に設けられかつ前記第一パネル受け（４３１）を軸回りに回動可能に軸支するブラケット（４７１）と、該ブラケット（４７１）の下方において前記支柱（４４０）に対して上下にスライド可能に設けられるスライダー（４８５）と、一端が該スライダー（４８５）において上下に回動可能に軸支され他端が前記第二パネル受け（４３２）を軸回りに回動可能に軸支するリンク部材（４８３）と、を備える太陽光パネル架台（４０１）である。
【０００８】
また、本発明は、前記第一パネル受け（４３１）および前記第二パネル受け（４３２）と交差してこれらを連結するステー（４３３）を備える太陽光パネル架台（４０１）である。
【０００９】
また、本発明は、前記第一パネル受け（４３１）および前記第二パネル受け（４３２）が複数個の太陽光パネル（４０２）を横設可能な長尺部材であり、前記第一パネル受け（４３１）および前記第二パネル受け（４３２）に対して互いに離間する二以上の前記支柱（４４０）が設けられ、前記支柱（４４０）の各々に対応して前記ブラケット（４７１）、前記スライダー（４８５）および前記リンク部材（４８３）が設けられた太陽光パネル架台（５０１）である。
【００１０】
また、本発明は、支柱（４４０）を地面に打ち込む第一ステップと、該支柱の上部において上下にスライド可能なブラケット（４７１）を設け、横方向に延設する管状部材であって該ブラケット（４７１）において軸回りに回動可能な第一パネル受け（４３１）を設け、前記ブラケット（４７１）の下方において前記支柱（４４０）に対して上下にスライド可能なスライダー（４８５）を設け、該スライダー（４８５）に対して上下に回動可能に軸支されるリンク部材（４８３）を設け、前記第一パネル受け（４３１）と離間してこれと平行な管状部材であって前記リンク部材（４８３）に対して軸回りに回動可能な第二パネル受け（４３２）を設ける第二ステップと、前記第一パネル受け（４３１）および前記第二パネル受け（４３２）に太陽光パネル（４０２）を設置する第三ステップとを備える太陽光パネルの設置方法である。
【００１１】
また、本発明は、前記第二ステップまたは前記第三ステップにおいて、前記第一パネル受け（４３１）および前記第二パネル受け（４３２）に交差して連結するステー（４３３）を設ける太陽光パネルの設置方法である。
【００１２】
また、本発明は、前記第一パネル受け（４３１）および前記第二パネル受け（４３２）に対して複数個の太陽光パネル（４０２）を横設可能な長尺部材であり、前記第一パネル受け（４３１）および前記第二パネル受け（４３２）に対して互いに離間する二以上の前記支柱（４４０）を設け、前記支柱（４４０）に対応して前記ブラケット（４７１）、前記スライダー（４８５）および前記リンク部材（４８３）を設ける太陽光パネルの設置方法である。
【００１３】
また、本発明は、前記角度調節機構（６０）が、前記支柱に固設されるブラケット（７１）と、一端が前記パネル受け（３０）に回動可能に軸支され他端が前記ブラケット（７１）に回動可能かつスライド可能に軸支されるリンク部材（８０ａ，８０ｂ）と、を備える太陽光パネル架台（２０１）である。
【００１４】
また、本発明は、前記角度調節機構（２６０）が、上部が前記太陽光パネル（２０２）ないし前記パネル受け（２３１，２３２）に固設され、その下方において前記支柱（２４０）に対して回動可能に軸支され、前記支柱（２４０）に設けられた締結穴に対応する複数個の調節固定穴（２７３）が設けられたブラケット（２７１）を備える太陽光パネル架台（２０１）である。
【００１５】
また、本発明は、前記角度調節機構（３６０）が、前記支柱（３４０）の上端部において前記太陽光パネル（３０２）を回動可能に軸支する回動軸（３６１）と、前記太陽光パネル（３０２）に対してスライド可能である前記パネル受け（３３１，３３２）と、一端が該パネル受け（３３１，３３２）に対して回動可能に軸支され他端が前記支柱（３４０）に対して回動可能かつ上下にスライド可能に軸支されるリンク部材（３８５）と、を備える太陽光パネル架台（３０１）である。
【００１６】
本発明の太陽光パネル架台は、市販の太陽光パネルを取り付ける架台であり、各部材はＵボルト、ボルト、ナット等によって組立分解可能に締結されるものである。回動やスライドが可能な各可動部はＵボルトまたはボルトを用いた締結により固定され、これを緩めることにより回動やスライドが可能となる。各部材は金属等の同種のものを用いることが望ましい。
【００１７】
本発明の太陽光パネル架台においては、適宜補強部材を設けることができ、また、その機能作用が損なわれない限りにおいて、上記の他の部材を介して各部材を連結させることもできる。
【発明の効果】
【００１８】
本発明の太陽光パネル架台によれば、設置場所にコンクリートを打設することなく、簡易迅速に太陽光パネルを設置することができる。また、コンクリートを用いないため、撤去の際にも簡易迅速にこれを行うことが可能となる。例えば、全ての部材を同種の金属により構成することができ、撤去後の部品選別等の手間を省くことが可能となる。これらの特徴により、太陽光パネル架台は安価に設置・撤去ができる。
【００１９】
また、本発明の太陽光パネル架台によれば、市販の太陽光パネルの設置時に容易に角度調節することができる。
【図面の簡単な説明】
【００２０】
【図１】本発明による実施例１の太陽光パネル架台１の設置状態における右側面図である。
【図２】同実施例１の太陽光パネル架台１の設置状態における正面図である。
【図３】同実施例１の太陽光パネル架台１の設置状態における背面図である。
【図４】同実施例１の太陽光パネル架台１の設置状態における平面図である。
【図５】同実施例１の太陽光パネル架台１の上からの斜視図である。
【図６】同実施例１の太陽光パネル架台１の下からの斜視図である。
【図７】同実施例１の太陽光パネル架台１から太陽光パネル２を取り外した状態の上からの斜視図である。
【図８】同実施例１のブラケット７１の平面図である。
【図９】同実施例１の太陽光パネル架台１の設置状態において取付け角を変更した右側面図である。
【図１０】同実施例１の太陽光パネル架台１を複数設置した状態における上からの斜視図である。
【図１１】本発明による実施例２の太陽光パネル架台２０１の設置状態における右側面図である。
【図１２】同実施例２の太陽光パネル架台２０１の設置状態における背面図である。
【図１３】同実施例２の太陽光パネル架台２０１の上からの斜視図である。
【図１４】同実施例２の太陽光パネル架台２０１から太陽光パネル２０２を取り外した状態の上からの斜視図である。
【図１５】同実施例２のブラケット２７１の平面図である。
【図１６】同実施例２の太陽光パネル架台２０１を複数設置した状態における下からの斜視図である。
【図１７】本発明による実施例３の太陽光パネル架台３０１の設置状態における右側面図である。
【図１８】同実施例３の太陽光パネル架台３０１の設置状態において取付け角を変更した右側面図である。
【図１９】同実施例３の太陽光パネル架台３０１の下からの斜視図である。
【図２０】同実施例３の太陽光パネル架台３０１から太陽光パネル３０２を取り外した状態の上からの斜視図である。
【図２１】本発明による実施例４の太陽光パネル架台４０１の設置状態における右側面図である。
【図２２】同実施例４の太陽光パネル架台４０１の設置状態における正面図である。
【図２３】同実施例４の太陽光パネル架台４０１の設置状態における背面図である。
【図２４】同実施例４の太陽光パネル架台４０１の設置状態における右後方からの斜視図である。
【図２５】同実施例４の太陽光パネル架台４０１の設置状態における左後方からの斜視図である。
【図２６】同実施例４の太陽光パネル架台４０１から太陽光パネル４０２を取り外した状態の斜視図である。
【図２７】同実施例４のパネル押さえ４３７の図である。（ａ）は平面図であり、（ｂ）は右側面図であり、（ｃ）は正面図である。
【図２８】同実施例４のスペーサ４２１の図である。（ａ）は平面図であり、（ｂ）は右側面図であり、（ｃ）は正面図である。
【図２９】同実施例４のブラケット４７１の図である。（ａ）は平面図であり、（ｂ）は正面図である。
【図３０】同実施例４のスライダー４８５の図である。（ａ）は図２１のＡ−Ａ線の断面図であり、（ｂ）はスライダー４８５ａの正面図であり、（ｃ）はスライダー４８５ｂの正面図である。
【図３１】同実施例４のリンク部材４８３の図である。（ａ）は平面図であり、（ｂ）は右側面図であり、（ｃ）は正面図である。
【図３２】同実施例４のステー４３３の図である。（ａ）は平面図であり、（ｂ）は右側面図であり、（ｃ）は正面図である。
【図３３】（ａ）〜（ｃ）は同実施例４の太陽光パネル架台４０１の取付け角の調節の様子を示す右側面図である。
【図３４】同実施例４の太陽光パネル架台４０１を複数設置した状態における斜視図である。
【図３５】同実施例４の太陽光パネル架台４０１を複数設置した状態における正面図である。
【図３６】同実施例４の太陽光パネル架台４０１を複数設置した状態における背面図である。
【図３７】（ａ）は同実施例４の二つの太陽光パネル４０２の間における太陽光パネル４０２と第一パネル受け４３１との固定の様子を示す図である。（ｂ）は同実施例４の太陽光パネル４０２の末端における太陽光パネル４０２と第一パネル受け４３１との固定の様子を示す図である。
【発明を実施するための形態】
【００２１】
本発明の好適な実施例１による太陽光パネル架台１について図１〜図１０を参照して説明する。太陽光パネル架台１は、図１〜図６に示す通り、太陽光パネル２に着脱自在に固定されるパネル受け３０と、パネル受け３０を角度調節可能に保持する角度調節機構６０と、上部に角度調節機構６０が連結され、下部が地面５０に打ち込まれる支柱４０と、を備える。角度調節機構６０は、支柱４０に固設されるブラケット７１と、一端がパネル受け３０に回動可能に軸支され他端がブラケット７１に回動可能かつスライド可能に軸支されるリンク部材８０ａ，８０ｂとを備える。各部材はボルト締結により組立分解自在に構成され、ボルトの雌ねじ側はナット、スプリングワッシャ、平ワッシャ等を適宜用いる。以下、各部について説明する。
【００２２】
パネル受け３０は、図３，図６，図７に示す通り、市販の太陽光パネル２を取り付けるための長尺部材である。ここでは断面略コ字形状で両端部は折り曲げられている。パネル受け３０は、太陽光パネル２の裏面の幅方向の中央において縦方向に亘って固設される。パネル受け３０と太陽光パネル２との取付けは、太陽光パネル２の裏面に設けられているフレームにボルト締結することにより行う。パネル受け３０は中央回動軸３１によりブラケット７１に回動可能に軸支される。また、パネル受け３０はリンク上部回動軸８１ａ，８１ｂによりリンク部材８０ａ，８０ｂを回動可能に軸支する。
【００２３】
支柱４０は、図１〜図３等に示す通り、地面５０に対して垂直に打ち込むことにより、太陽光パネル架台１を設置するための管状部材である。支柱４０は、例えばガードレールの設置に見られるのと同様の方法により打ち込むことができるため、具体的な打込み方法の説明は割愛するが、地覆構造、設置強度等は必ずしもガードレールと同様の基準にあることは要しない。支柱４０の上端部にはブラケット７１が固設される。
【００２４】
ブラケット７１は、図１，図３に示す通り、二枚一組で支柱４０に挟設される板状部材である。ブラケット７１には、図８に示す通り、パネル受け３０を回動可能に軸支するための固定穴７２と、支柱４０に固設するための固定穴７３，７４とが設けられる。また、ブラケット７１には、リンク部材８０ａ，８０ｂを回動可能かつ上下にスライド可能に軸支するリンク下部回動軸８２ａ，８２ｂのための長穴７５，７６が設けられる。長穴７５，７６の位置、方向、長さは太陽光パネル２の取付け角を考慮して設けられる。
【００２５】
リンク部材８０ａ，８０ｂは、図１，図３，図６に示す通り、一枚のブラケット７１につき、それぞれブラケット７１に沿って上下に回動可能かつ上下にスライド可能に軸支される。すなわち、ニ枚一組のブラケット７１に対して、リンク部材８０ａ，８０ｂが二枚二組設けられることとなる。リンク部材８０ａ，８０ｂは、パネル受け３０およびブラケット７１に対する回転角度と、長穴７５，７６における位置調節とにより、太陽光パネル２の取付け角を調節するための部材である（図１，図９参照）。リンク部材８０ａ，８０ｂは板状部材により形成しているが、締結部を潰した管状部材を用いて強度を向上させてもよい。また、ブラケット７１の他の部材との干渉を防ぐための形状は適宜設けるものとする。リンク部材８０ａ，８０ｂはその回動範囲およびスライド範囲を考慮して長さを決定する。本実施例においては、リンク部材８０ａの長さが３２０ｍｍ、リンク部材８０ｂの長さが３７０ｍｍである。リンク部材８０ａ，８０ｂのスライドは本実施例のような縦方向に限らず、横方向や斜め方向におけるものとしてもよい。
【００２６】
パネル受け３０、支柱４０、ブラケット７１およびリンク部材８０ａ，８０ｂは、例えば鉄等の金属により構成することが好適であるが、その他樹脂素材や木材を適宜用いることもできる。
【００２７】
太陽光パネル架台１および太陽光パネル２の設置ないし使用について説明する。太陽光パネル架台１の各部材は個別に運搬し、設置場所にて組み立てることが可能である。まず、支柱４０を所望の位置に打ち込み、これにブラケット７１、リンク部材８０ａ，８０ｂ、パネル受け３０をボルト締結する。リンク部材８０ａ，８０ｂの上部はリンク上部回動軸８１ａ，８１ｂによりパネル受け３０に対して回動可能であり、リンク部材８０ａ，８０ｂの下部はリンク下部回動軸８２ａ，８２ｂにより回動可能かつスライド可能である。リンク上部回動軸８１ａ，８１ｂおよびリンク下部回動軸８２ａ，８２ｂについては例えばスリーブ付ボルト等を用いることができる。各部材間を仮止めした上、パネル受け３０の取付け角を調節したら、各部材間をしっかりとボルト締結する。パネル受け３０に太陽光パネル２を固設することにより、太陽光パネル架台１および太陽光パネル２の設置は完了する。なお、設置手順はこれに限らない。使用時において必要な場合は、各ボルトを緩め、リンク部材８０ａ，８０ｂにより太陽光パネル２の取付け角を調節することができる。本実施例では、太陽光パネル２の取付け角は水平に対して１０〜３０度傾斜可能なものとしているが、これに限らずその他の傾斜角度を採ることができることとしてもよい。太陽光パネル架台１および太陽光パネル２は、図１０に示す通り、複数個を併設することも好適である。図１０における例では、太陽光パネル架台１は図１におけるもののように各太陽光パネル２の中央ではなく、隣り合う太陽光パネル２の間に設けている。
【００２８】
本実施例１の太陽光パネル架台１の効果について説明する。太陽光パネル架台１は上述の通り、角度調節機構６０により太陽光パネル２の取付け角を調節しつつ、太陽光パネル２を設置することができる。この設置作業はボルト締結により特殊な工具等を要せず、簡易迅速に行うことができる。また、設置場所にコンクリートを打設する必要がなく、その養生期間が不要であるため、従来と比べて大幅な施工期間の短縮化が可能となる。またこれにより、簡易迅速に太陽光パネル架台１および太陽光パネル２を撤去することが可能となる。太陽光パネル架台１の各部材は、同種の金属により構成することができ、撤去後の部品選別等の手間を省くことが可能となる。これらの特徴により、太陽光パネル架台は安価に設置ないし撤去ができる。
【００２９】
以下、本発明の実施例２による太陽光パネル架台２０１について図１１〜図１６を参照して説明する。実施例１と共通する構成に付す符合は実施例１におけるものの２００番台とし、実施例１と共通する点についてはこれを援用し、説明を省略する。太陽光パネル架台２０１は、図１１〜図１４に示す通り、太陽光パネル２０２に着脱自在に固定されるパネル受け２３１，２３２と、パネル受け２３１，２３２を角度調節可能に保持する角度調節機構２６０と、上部に角度調節機構２６０が連結され、下部が地面２５０に打ち込まれる支柱２４０と、を備える。角度調節機構２６０は、支柱２４０に固設されるブラケット２７１により構成される。各部材はボルト締結により組立分解自在に構成される。以下、各部について説明する。
【００３０】
パネル受け２３１，２３２は、図１２，図１４に示す通り、太陽光パネル２０２の上下端辺に固設される長尺の管状部材である。パネル受け２３１，２３２はそれぞれ、その中央部付近を二枚一組のブラケット２７１の両端部にブラケット留具２３３により固設される。パネル受け２３１，２３２はブラケット２７１と直交し、太陽光パネル２０２の辺と平行になっている。パネル受け２３１，２３２のそれぞれの両端部には、太陽光パネル２０２を取り付けるためのパネル留具２３４が設けられる。ブラケット留具２３３およびパネル留具２３４はそれぞれ、二つの取付け面と略Ｕ字状の連結部とを有し、配管支持具として用いられるサドルバンドと同様な形状である。
【００３１】
ブラケット２７１は、図１２，図１４に示す通り、二枚一組で支柱２４０に挟設される板状部材である。上面が直線上で下面が湾曲形状となっている。ブラケット２７１は、図１１，図１４，図１５に示す通り、その上部の端部がパネル受け２３１，２３２に固設され、その下方において支柱２４０に対して回動可能に軸支され、支柱２４０に設けられた締結穴（図示略）に対応する複数個の調節固定穴２７３を備える。ブラケット２７１の上部はブラケット留具２３３によりパネル受け２３１，２３２に固定される。ブラケットは、図１５に示す通り、中央上部に設けられる回動軸支穴２７２と、その下方において回動軸支穴２７２を中心とする円周上に配置される複数個の調節固定穴２７３とが設けられる。ブラケット２７１は、回動軸支穴２７２において支柱２４０に対して回動可能に軸支するようにボルト締結され、その下方の調節固定穴２７３のうち任意のものにおいて支柱２４０に対してボルト締結されることによって、支柱２４０に対して角度調節可能に取り付けられる。
【００３２】
太陽光パネル架台２０１および太陽光パネル２０２の設置、使用ないし効果について説明する。太陽光パネル架台２０１の設置は実施例１と同様に行われるが、太陽光パネル２０２の取付け角の調節方法は異なる。すなわち、支柱２４０の締結穴（図示略）に対して、いずれの調節固定穴２７３を用いて固定するかにより、取付け角が決定される。本実施例では、水平位置を含む複数（７つ）の調節固定穴２７３を設け、片側３０度まででそれぞれ１０度ずつの段階調節を可能としている。また、図１６に示すように、パネル受け２３１，２３２を一つの太陽光パネル２０２の幅よりも長いものとして、複数の太陽光パネル２０２を連設することも好適である。これにより、配列した太陽光パネル２０２の一つ置きにのみ太陽光パネル架台２０１を設けるなどして、よりいっそうの低コスト化、施工期間の短縮化を図ることができる。その他の本実施例２の太陽光パネル架台２０１の効果は実施例１におけるものと同様である。
【００３３】
以下、本発明の実施例３による太陽光パネル架台３０１について図１７〜図２０を参照して説明する。実施例１と共通する構成に付す符合は実施例１におけるものの３００番台とし、実施例１と共通する点についてはこれを援用し、説明を省略する。太陽光パネル架台３０１は、図１７〜図２０に示す通り、太陽光パネル３０２に着脱自在に固定されるパネル受け３３１，３３２と、パネル受け３３１，３３２を角度調節可能に保持する角度調節機構３６０と、上部に角度調節機構３６０が連結され、下部が地面３５０に打ち込まれる支柱３４０と、を備える。本実施例における角度調節機構３６０は、パネル受け３３１，３３２も含まれることとなる。すなわち、角度調節機構３６０は、支柱３４０の上端部において太陽光パネル３０２を回動自在に軸支する回動軸３６１と、太陽光パネル３０２に対してスライド可能であるパネル受け３３１，３３２と、一端がパネル受け３３１，３３２に対して回動可能に軸支され他端が支柱３４０に対して回動可能かつ上下に摺動可能に軸支されるリンク部材３８０とを備える。以下、各部について説明する。
【００３４】
パネル受け３３１，３３２は、図１９，図２０に示す通り、太陽光パネル３０２のフレームの下面をスライド可能な長尺部材である。パネル受け３３１，３３２は、太陽光パネル３０２の幅方向と平行にして設けられ、そのスライド方向は、太陽光パネル３０２の縦方向に沿って行われることとなる。パネル受け３３１，３３２のスライドは、太陽光パネル３０２のフレームの下面の両側に一般的に設けられている溝形状において、パネル受け３３１，３３２に設けるスライドボルト３３３を摺動させることにより行う。パネル受け３３１，３３２は、それぞれ中央に後述するリンク部材３８３，３８４を回動可能に軸支するための突片３３４，３３５を有する。
【００３５】
回動軸３６１は、図１７〜図２０に示す通り、太陽光パネル３０２のフレームの下面の中央に設けられ、ここにおいて太陽光パネル３０２を回動可能に軸支する長尺部材である。回動軸３６１は、太陽光パネル３０２の縦方向の中央において幅方向に亘って設けられる。回動軸３６１はパネル留具３６２により太陽光パネル３０２に固定される。また、回動軸３６１は、Ｌ字状のブラケット３７１を介して支柱３４０に設けられる。回動軸３６１はブラケット留具３６３によりブラケット３７１に固定され、ブラケット３７１は支柱３４０に直接にボルト締結される。パネル留具３６２およびブラケット留具３６３はそれぞれ、二つの取付け面と略Ｕ字状の連結部とを有し、配管支持具として用いられるサドルバンドと同様な形状である。回動軸３６１は、パネル受け３３１，３３２と平行であり、これらはリンク部材３８３，３８４と直交状態である。
【００３６】
リンク部材３８０は、図１７〜図２０に示す通り、パネル受け３３１，３３２および支柱３４０の間に回動自在に設けられる長尺状のリンク部材３８３，３８４と、リンク部材３８３，３８４を支柱３４０に対して回動可能かつ上下に摺動可能にするためのリング状のリンク部材３８５とからなる。
【００３７】
リンク部材３８３，３８４は、それぞれの一端がパネル受け３３１，３３２の突片３３４，３３５に回動可能に設けられ、他端がリンク部材３８０に回動可能に設けられる。
【００３８】
リンク部材３８５は、二つの取付け面と略Ｕ字状の連結部とを有する二つのリンク部材３８５ａ，３８５ｂをリング状に組み合わせることにより構成される。
【００３９】
太陽光パネル架台３０１および太陽光パネル３０２の設置、使用ないし効果について説明する。太陽光パネル架台３０１の設置は実施例１と同様に行われるが、太陽光パネル３０２の取付け角の調節方法は異なる。すなわち、パネル留具３６２を緩め回動軸３６１に対して回動させるか、または、ブラケット留具３６３を緩め回動軸３６１を回動させ、パネル受け３３１，３３２を太陽光パネル３０２に対してスライドさせ、リンク部材３８３，３８４の一端をパネル受け３３１，３３２の突片３３４，３３５に対して回動させ、リンク部材３８３，３８４の他端をリンク部材３８５に対して回動させ、リンク部材３８５を支柱３４０に対して上下にスライドさせることを並行して行うことにより、太陽光パネル３０２の取付け角を調節する。取付け角の調節は、各ボルトを仮止め後、各部材が回動、スライドできる状態において行い、その後各ボルトをしっかりと締結する（図１７，図１８参照）。その他の本実施例３の太陽光パネル架台３０１の効果は実施例１におけるものと同様である。
【００４０】
以下、本発明の実施例４による太陽光パネル架台４０１について図２１〜図３７を参照して説明する。実施例３と共通する構成に付す符合は実施例３におけるものの４００番台とし、実施例３と共通する点についてはこれを援用し、説明を省略する。太陽光パネル架台４０１は、図２１〜図２６に示す通り、太陽光パネル４０２に着脱自在に固定される第一パネル受け４３１および第二パネル受け４３２と、第一パネル受け４３１および第二パネル受け４３２を角度調節可能に保持する角度調節機構４６０と、上部に角度調節機構４６０が連結され、下部が地面４５０に打ち込まれる支柱４４０と、を備える。角度調節機構４６０は、支柱４４０に固設されるブラケット４７１、ブラケット４７１の下方において支柱４４０に対して上下にスライド可能に設けられるスライダー４８５と、一端がスライダー４８５において上下に回動可能に軸支され他端が第二パネル受け４３２を軸回りに回動可能に軸支するリンク部材４８３とにより構成される。各部材はＵボルトやボルトにより組立分解自在に構成され、ボルトの雌ねじ側はナット、スプリングワッシャ、平ワッシャを適宜用いる。以下、各部について、太陽光パネル架台４０１の全体を示す図２１〜図２６と、各部を示す図２７〜図３２とを参照しつつ説明する。
【００４１】
第一パネル受け４３１および第二パネル受け４３２は、図２１〜図２６に示す通り、太陽光パネル４０２の裏面において横方向に延設され、上下に離間して互いに平行な二本の管状部材である。第一パネル受け４３１および第二パネル受け４３２と、太陽光パネル４０２とはＵボルト４８８，４８９を用いて締結し、これを緩めると、第一パネル受け４３１および第二パネル受け４３２はそれぞれＵボルト４８８，４８９の内側で仮固定状態となって軸回りに回動可能となる。その他、第一パネル受け４３１はブラケット４７１とＵボルト４９２を介して連結され、第二パネル受け４３２はリンク部材４８３とＵボルト４９９を介して連結される。
【００４２】
第一パネル受け４３１および第二パネル受け４３２と、太陽光パネル４０２との固定は、パネル押さえ４３７とスペーサ４２１とを設けて行う。パネル押さえ４３７は、図２７に示す通り、側面視で（図２７（ｃ）参照）、両側に同一高さの平面である押さえ面４３７ａと、押さえ面４３７ａより低い位置に形成される締結面４３７ｂとを備える。締結面４３７ｂには通し穴４３７ｃが二つ設けられる。スペーサ４２１は、図２８に示す通り、太陽光パネル４０２のフレーム４２０の奥行き幅と同じ高さの立壁４２２と、立壁４２２の下部から垂直に延設される締結面４２３と、締結面４２３に設けられる通し穴４２４ａ〜４２４ｆとを備える。本実施例では、スペーサ４２１について後に詳述するステー４３３と同一形状・寸法とすることにより部品の共通化を図っているが（図３２参照）、これに限らず別途の形状・寸法としてもよい。パネル押さえ４３７およびスペーサ４２１の取付けについては、太陽光パネル架台４０１の設置方法の説明にて後述する。
【００４３】
ブラケット４７１は、図２１，図２３〜図２６に示す通り、支柱４４０の上部において上下にスライド可能に設けられ、かつ、第一パネル受け４３１を軸回りに回動可能に軸支する板状部材である。図２９に示す通り、ブラケット４７１には通し穴４９０ａ〜４９０ｆが設けられている。通し穴４９０ａ，ｂと、通し穴４９０ｃ，ｄとにそれぞれＵボルト４９１を支柱４４０を内設させつつ通してナットで締結し、ブラケット４７１を支柱４４０の上部に固定する。この締結を緩めると、ブラケット４７１は支柱４４０の上部において上下にスライド可能となる。通し穴４９０ｅ，ｆにはＵボルト４９２（図２６参照）を第一パネル受け４３１を内設させてナットで締結することにより、ブラケット４７１は第一パネル受け４３１を軸回りに回動可能に軸支することとなる。
【００４４】
スライダー４８５は、図２１〜図２６に示す通り、ブラケット４７１の下方において支柱４４０に対して上下にスライド可能に設けられる環状の部材である。スライダー４８５は、図３０（ａ）に示す通り、長矩形の板状部材の中間に略半円筒形状を設けたスライダー４８５ａ，４８５ｂを対向させて組み合わせることにより環状に形成される。スライダー４８５ａ，４８５ｂの側面図（図３０（ｂ）（ｃ））は左右対称であるが、スライダー４８５ｂを上下に反転させればスライダー４８５ａと同一形状となるため、スライダー４８５ａ，４８５ｂは同一部品を共有できる。スライダー４８５ａ，４８５ｂの両端部にはそれぞれ通し穴４９３ａ，４９４ａ、通し穴４９３ｂ，４９４ｂが設けてあり（図３０（ｂ）（ｃ）参照）、支柱４４０を挟んでスライダー４８５ａ，４８５ｂを組み合わせ、通しボルト４９５，４９６とナットで締結することにより、スライダー４８５は支柱４４０に固定される。この締結を緩めると、スライダー４８５を支柱４４０において摺動させ、上下にスライド可能となる。通し穴４９３ａ，４９３ｂの締結においては、スライダー４８５ａ，４８５ｂとともにリンク部材４８３の基端部４８３ａが挟設される。
【００４５】
リンク部材４８３は、図２１〜図２６に示す通り、一端がスライダー４８５において上下に回動可能に軸支されて基端部４８３ａとなり、他端が第二パネル受け４３２を軸回りに回動可能に軸支する先端部４８３ｂとなる断面Ｌ字状の長尺部材である。図３１に示す通り、基端部４８３ａには一方の板面に一つの通し穴４９７が設けられ、先端部４８３ｂには他方の板面に二つの通し穴４９８ａ，４９８ｂが設けられる。スライダー４８５の通し穴４９３ａ，４９３ｂとともに基端部４８３ａの通し穴４９７に通しボルト４９５を挿通することにより、リンク部材４８３は、スライダー４８５ａ，４８５ｂとともに挟設されつつ、スライダー４８５において上下に回動可能に軸支されることとなる。一方、先端部４８３ｂでは、通し穴４９８ａ，４９８ｂにＵボルト４９９を挿通して第二パネル受け４３２を軸回りに回動可能に軸支する。
【００４６】
ステー４３３は、図２１，図２３〜図２６に示す通り、第一パネル受け４３１および第二パネル受け４３２と交差してこれらを連結する断面Ｌ字状の長尺部材である。図３２に示す通り、ステー４３３の両端部にはそれぞれ同じ板面に通し穴４３４ａ，４３４ｂと、通し穴４３４ｃ，４３４ｄとが設けられる。通し穴４３４ａ，ｂにＵボルト４３５を第一パネル受け４３１を内設させつつ通してナットで締結し、通し穴４３４ｃ，ｄにＵボルト４３６を第二パネル受け４３２を内設させつつ通してナットで締結することにより、第一パネル受け４３１および第二パネル受け４３２は、これらと交差するステー４３３により連結される。Ｕボルト４３５またはＵボルト４３６の締結を緩めると、第一パネル受け４３１または第二パネル受け４３２は軸回りに回動可能となり、また、軸方向（横方向）においてスライド可能となる。
【００４７】
以下、太陽光パネル架台４０１および太陽光パネル４０２の設置方法について説明する。まず、支柱４４０を地面４５０に打ち込む。次に、支柱４４０の上部において上下にスライド可能なブラケット４７１を設け、ブラケット４７１において軸回りに回動可能な第一パネル受け４３１を設け、ブラケット４７１の下方において支柱４４０に対して上下にスライド可能なスライダー４８５を設け、スライダー４８５において上下に回動可能に軸支されるリンク部材４８３を設け、第一パネル受け４３１と離間してこれと平行な第二パネル受け４３２をリンク部材４８３において軸回りに回動可能に設け、第一パネル受け４３１および第二パネル受け４３２と交差してこれらを連結するステー４３３を設ける。そして、第一パネル受け４３１および第二パネル受け４３２に太陽光パネル４０２を設置する。太陽光パネル架台４０１および太陽光パネル４０２の設置の手順は上記に限らず行うことができるが、支柱４４０の打ち込み、各部材の組立て・締結、太陽光パネル４０２の設置はこの順番に行うことが好ましい。例えば、ステー４３３を設けることなく本実施形態の太陽光パネル架台４０１を構成して太陽光パネル４０２を設置することもでき、また、そのような太陽光パネル架台４０１に太陽光パネル４０２を設置した後にステー４３３を設けることも可能である。各部材間の締結は、各部材の通し穴、Ｕボルト、ボルト、ナット、スプリングワッシャ、平ワッシャ等によって行い、それらの配置は上述した通りである。なお、Ｕボルトの代わりに実施例２におけるブラケット留具２３３やパネル留具２３４のようなサドルバンドと同様な形状の部材を用いてもよい。
【００４８】
図３４〜図３６に示す通り、太陽光パネル架台４０１を用いて、複数個の太陽光パネル４０２を連設することも可能である。すなわち、第一パネル受け４３１および第二パネル受け４３２を複数個の太陽光パネル４０２に対して横設可能な長尺部材とし、第一パネル受け４３１および第二パネル受け４３２に対して互いに離間する二以上の支柱４４０を設け、支柱４４０に対応してブラケット４７１、スライダー４８５およびリンク部材４８３の付属部品を設けることにより、複数個の太陽光パネル４０２を設置可能とするものである。図３４〜図３６では太陽光パネル４０２を五つ連結して設置しているが、これに限られない。また、支柱４４０およびその付属部品は、太陽光パネル４０２の数と一対一に対応して設ける必要はなく、例えば、図３４〜図３６のように一つ置きに設ける等、任意の適宜間隔で設けることができる。ステー４３３は、図３６のように支柱４４０およびその付属部品と対応した位置に設けてもよいし、別個の適宜間隔で設けてもよい。
【００４９】
第一パネル受け４３１および第二パネル受け４３２と、太陽光パネル４０２との固定は、太陽光パネル４０２を第一パネル受け４３１および第二パネル受け４３２に載置し、パネル押さえ４３７とスペーサ４２１とを設けて行う（図２１〜図２６，図３４〜図３７参照）。図３４〜図３６のように複数個の太陽光パネル４０２を連設する場合、隣り合う二つの太陽光パネル４０２の間においてパネル押さえ４３７を設ける。具体的には、パネル押さえ４３７によって太陽光パネル４０２のフレーム４２０の側端を表面から押さえつけ、これを介してＵボルト４８８，４８９を第一パネル受け４３１および第二パネル受け４３２のそれぞれに固定する（図２４，図３７（ａ）参照）。この際、Ｕボルト４８８，４８９を太陽光パネル４０２の裏面側から通し、太陽光パネル４０２の表面側からＵボルト４８８，４８９をナットで締結することとなる。これに限らず、パネル押さえは太陽光パネル４０２の裏面に設置してもよい。
【００５０】
複数の太陽光パネル４０２のうち、両外側に位置する太陽光パネル４０２と、第一パネル受け４３１および第二パネル受け４３２との固定は、スペーサ４２１を外側に設けて、パネル押さえ４３７およびスペーサ４２１を介してＵボルト４２５を第一パネル受け４３１および第二パネル受け４３２のそれぞれに固定する（図２４，図３７（ｂ）参照）。太陽光パネル４０２を一つのみ設置する場合においても（図２１〜図２６参照）、その太陽光パネル４０２の両側にスペーサ４２１およびパネル押さえ４３７を設けて同様に固定する。
【００５１】
本実施例４の太陽光パネル架台４０１の使用ないし効果について説明する。太陽光パネル架台４０１は、実施例１の太陽光パネル架台１と同様の効果を奏する上、各部材の連結の要所にＵボルトを用いるため、締結を緩めて部材をスライドまたは回動させることがより円滑となる。太陽光パネル架台４０１においては、太陽光パネル４０２の角度、高さ、横方向の位置（第一パネル受け４３１の長さ方向）、縦方向の位置（第一パネル受け４３１および第二パネル受け４３２の離間方向）の調節が可能であり、さらに、複数個の太陽光パネル架台４０１を連設した場合にあっては、支柱４４０の取付け位置や取付け間隔を任意に設定できる。
【００５２】
太陽光パネル４０２の取付け角の調節方法は、図３３に示すように、スライダー４８５を支柱４４０に対して上下にスライドさせることにより、リンク部材４８３を通じて、太陽光パネル４０２の下部を上下させることによる。取付け角の調節について実施例３の太陽光パネル架台３０１と比較すると、実施例３においては、リンク部材３８５（本実施例のスライダー４８５に相当）を支柱３４０に対して上下にスライドさせるとともに、パネル受け３３１，３３２を太陽光パネル３０２に対してスライドさせる必要があったところ、本実施例４では実施例３のリンク部材３８４に相当する部材を無くしたことにより、第一パネル受け４３１および第二パネル受け４３２をスライドさせることなく、より容易に取付け角の調節を行うことができる。第一パネル受け４３１および第二パネル受け４３２のスライドが不要になったことに伴い、本実施例では取付け角の調節を行っても、太陽光パネル４０２の支持位置（支点）の変化がなくなったため、太陽光パネル架台４０１の安定した設置状態をとることが容易となる。
【００５３】
ステー４３３により第一パネル受け４３１および第二パネル受け４３２を連結したことにより、これらの離間距離を一定に保ち、設置強度を向上させることができる。実施例３においては、太陽光パネル３０２の非設置状態においてリンク部材３８３，３８４の取付け角度を固定することが難しかったが、本実施例４では、ステー４３３を備えることにより、太陽光パネル４０２の非設置状態においても第一パネル受け４３１、第二パネル受け４３２、リンク部材４８３の位置を固定することが容易となるため、太陽光パネル架台４０１の組立および太陽光パネル４０２の設置がより簡易になる。また、太陽光パネル４０２の設置状態においても、パネル押さえ４３７と第一パネル受け４３１および第二パネル受け４３２との間で太陽光パネル４０２をスライドさせることにより、取付け角の変化を伴うことなく、設置位置の縦方向の調節を行うことができる。
【００５４】
第一パネル受け４３１および第二パネル受け４３２の長さ方向に対して太陽光パネル４０２をスライド移動させることができるため、特に太陽光パネル４０２を複数設置した場合において、個々の太陽光パネル４０２の配置を調節することができて便利である。
【００５５】
ブラケット４７１が支柱４４０の上部において上下にスライド可能であるため、スライダー４８５とともにブラケット４７１を上下にスライドさせることで、取付け角が不変のままに太陽光パネル４０２の取付け高さを調節することが可能である。例えば、支柱４４０の打込み時に設置高さの不均一が生じても、支柱４４０の付属部品（ブラケット４７１、スライダー４８５、リンク部材４８３、第一パネル受け４３１、第二パネル受け４３２およびステー４３３）により、太陽光パネル４０２の取付け高さを調節できるため、特に複数個の連設時に、不要な内部応力の発生を防止し、太陽光パネル４０２を整列させることができて便利である。
【００５６】
パネル押さえ４３７を太陽光パネル４０２の表面側に設けることにより、Ｕボルト４８８，４８９のナット締結を表面側から行うことができ、取付け作業が容易となる。また、平面で構成されたパネル押さえ４３７の押さえ面４３７ａにより太陽光パネル４０２を固定しつつ、押さえ面４３７ａよりも低い高さの締結面４３７ｂにて締結を行うため、固定具を太陽光パネル４０２の表面側に設けても影が生じることはほとんどなく、発電効率の妨げとなることはない（図２７，図３７参照）。
【００５７】
スペーサ４２１をステー４３３と同一形状・寸法とすることにより、また、連設した太陽光パネル４０２の中間位置または末端位置によらず全ての固定箇所にパネル押さえ４３７を用いて固定し、連設の末端位置または単独設置時にスペーサ４２１を併用することにより、部品が共通化され低コストとなる。
【００５８】
なお、本発明の実施の形態は、上記の実施例に何ら限定されるものではなく、本発明の技術的思想を逸脱しない範囲において、改変等を加えることができるものである。また、それらの改変、均等物等も本発明の技術的範囲に含まれ、該技術的範囲に属する限り種々の形態を採り得る。
【産業上の利用可能性】
【００５９】
本発明は、短施工期間かつ低コストで、取付け角調整容易な太陽光パネルを設置するための太陽光パネル架台に適用できる。
【符号の説明】
【００６０】
１…太陽光パネル架台
２…太陽光パネル
３０…パネル受け
３１…中央回動軸
４０…支柱
５０…地面
６０…角度調節機構
７１…ブラケット
７５，７６…長穴
８０ａ，８０ｂ…リンク部材
２０１…太陽光パネル架台
２０２…太陽光パネル
２３１，２３２…パネル受け
２４０…支柱
２５０…地面
２６０…角度調節機構
２７１…ブラケット
２７２…回動軸支穴
２７３…調節固定穴
３０１…太陽光パネル架台
３０２…太陽光パネル
３３１，３３２…パネル受け
３４０…支柱
３５０…地面
３６０…角度調節機構
３６１…回動軸
３７１…ブラケット
３８３，３８４…リンク部材
３８５ａ，３８５ｂ…リンク部材
４０１…太陽光パネル架台
４０２…太陽光パネル
４２１…スペーサ
４３１…第一パネル受け
４３２…第二パネル受け
４３３…ステー
４３７…パネル押さえ
４４０…支柱
４６０…角度調節機構
４７１…ブラケット
４８３…リンク部材
４８５…スライダー
【図１】
2014043763.tif 000003
【図２】
2014043763.tif 000004
【図３】
2014043763.tif 000005
【図４】
2014043763.tif 000006
【図５】
2014043763.tif 000007
【図６】
2014043763.tif 000008
【図７】
2014043763.tif 000009
【図８】
2014043763.tif 000010
【図９】
2014043763.tif 000011
【図１０】
2014043763.tif 000012
【図１１】
2014043763.tif 000013
【図１２】
2014043763.tif 000014
【図１３】
2014043763.tif 000015
【図１４】
2014043763.tif 000016
【図１５】
2014043763.tif 000017
【図１６】
2014043763.tif 000018
【図１７】
2014043763.tif 000019
【図１８】
2014043763.tif 000020
【図１９】
2014043763.tif 000021
【図２０】
2014043763.tif 000022
【図２１】
2014043763.tif 000023
【図２２】
2014043763.tif 000024
【図２３】
2014043763.tif 000025
【図２４】
2014043763.tif 000026
【図２５】
2014043763.tif 000027
【図２６】
2014043763.tif 000028
【図２７】
2014043763.tif 000029
【図２８】
2014043763.tif 000030
【図２９】
2014043763.tif 000031
【図３０】
2014043763.tif 000032
【図３１】
2014043763.tif 000033
【図３２】
2014043763.tif 000034
【図３３】
2014043763.tif 000035
【図３４】
2014043763.tif 000036
【図３５】
2014043763.tif 000037
【図３６】
2014043763.tif 000038
【図３７】
2014043763.tif 000039